(57)【要約】【課題】　複数のインバータボード各々は少なくとも二個以上の並列連結されたランプを駆動し、各インバータボードが互いに直列連結されるように構成してコンパクト構造のインバータ駆動装置及びこれを含む液晶表示装置を提供する。【解決手段】　インバータ駆動装置は、個別または並列連結された少なくとも二個以上のランプを有する複数のランプ部と、各ランプ部と同一の数であり、制御信号と電圧信号を受信して各ランプ部のうちの対応するランプ部を駆動するための信号を生成し、互いに直列連結された複数のインバータボードを含み、複数のインバータボードの中で最外側に位置したいずれか一つのインバータボードには制御信号が入力され、その反対側の他のインバータボードには電圧信号が入力され、各インバータボードは制御信号と電圧信号を隣接したインバータボードに伝達するように構成されている。【選択図】　　　図３
2004104990.tif 000002
【特許請求の範囲】
【請求項１】
　外部から入力された直流電源を交流電源に変換及び昇圧した信号によって発光するランプを有する複数のランプ部と、
　前記各ランプ部と同一な数からなり、制御信号と電圧信号を受信して前記各ランプ部のうちの対応するランプ部を駆動するための信号を生成し、互いに直列連結された複数のインバータボードとを含み
　前記複数のインバータボードの中で最外側に位置したいずれか一つのインバータボードには制御信号が入力され、その反対側の他のインバータボードには電圧信号が入力され、
　前記各インバータボードは前記制御信号と前記電圧信号を隣接したインバータボードに伝達するように構成されていることを特徴とするインバータ駆動装置。
【請求項２】
　前記ランプ部は並列連結された少なくとも二個以上のランプを有することを特徴とする、請求項１に記載のインバータ駆動装置。
【請求項３】
　前記複数のインバータボードの直列連結方向は前記ランプ部のランプ長さ方向に対して垂直に配置されることを特徴とする、請求項１に記載のインバータ駆動装置。
【請求項４】
　前記複数のインバータボードの中で最外側に位置したいずれか一つのインバータボードは前記制御信号を受信する制御信号用コネクタと、隣接した他のインバータボードから伝達された前記電圧信号を現在のインバータボード内部に伝達するためのボード間コネクタを含み、
　前記複数のインバータボードの中で最外側に位置した他のインバータボードは前記電圧信号を受信する電圧信号用コネクタと、隣接した他のインバータボードから伝達された前記制御信号を現在のインバータボード内部に伝達するためのボード間コネクタを含み、
　前記複数のインバータボードの中で残りのインバータボードは制御信号と電圧信号を隣接したインバータボードから各々受信する二個のボード間コネクタを含むことを特徴とする、請求項１に記載のインバータ駆動装置。
【請求項５】
　前記各インバータボードのコネクタは互いに対称的なピン構成を有することを特徴とする、請求項４に記載のインバータ駆動装置。
【請求項６】
　各インバータボードに含まれたコネクタはボード内部の配線を通じて互いに連結されていることを特徴とする、請求項４に記載のインバータ駆動装置。
【請求項７】
　前記各インバータボードは前記制御信号と前記電圧信号を利用してランプ駆動信号を生成するための電子部品をさらに含み、前記電子部品はボード内の各コネクタで必要な信号線を抽出して連結されていることを特徴とする、請求項４に記載のインバータ駆動装置。
【請求項８】
　互いに交差するように配置された複数のゲートライン及びデータラインと、前記各ゲートラインと前記各データラインの交差点に形成された画素を含むマトリックス構造を有する液晶パネルと、
　前記液晶パネルのゲートラインを駆動するための複数のゲート駆動ICと、
　前記液晶パネルのデータラインを駆動するための複数のソース駆動ICと、
　映像データ、垂直及び水平同期信号及びクロック信号を生成する一方、ランプ駆動に必要な電圧信号を生成して出力させるシステムボードと、
　前記システムボードから前記映像データ、前記垂直及び水平同期信号及び前記クロック信号を受信して前記映像データを前記各ソース駆動ICに分配できるように前記映像データのタイミングを調整し、ゲート駆動に必要な制御信号を生成して前記各ゲート駆動ICに出力し、ランプ 駆動に必要な制御信号を生成して出力する制御ボードと、
　外部から入力された直流電源を交流電源に変換及び昇圧した信号によって発光するランプを有する複数のランプ部と、
　前記各ランプ部と同一の数であり、前記制御ボードから前記制御信号を受信して前記システムボードから前記電圧信号の入力を受けて前記各ランプ部のうちの対応するランプ部を駆動するための信号を生成し、互いに直列連結された複数のインバータボードを含むことを特徴とする液晶表示装置。
【請求項９】
　前記複数のインバータボードの中で最外側に位置したいずれか一つのインバータボードには制御信号が入力され、その反対側の他のインバータボードには電圧信号が入力され、前記各インバータボードは前記制御信号と前記電圧信号を隣接したインバータボードに伝えられるようにすることを特徴とする、請求項８に記載の液晶表示装置。
【請求項１０】
　前記ランプ部は並列連結された少なくとも二個以上のランプを有することを特徴とする、請求項８に記載の液晶表示装置。
【請求項１１】
　前記各インバータボードのコネクタは互いに対称的なピン構成を有することを特徴とする、請求項８に記載の液晶表示装置。
【請求項１２】
　前記複数のゲート駆動ICは前記液晶パネルの両側面に分けられて配置されたデュアルゲート構造であることを特徴とする、請求項８に記載の液晶表示装置。
【請求項１３】
　前記各ランプ部は一端がグラウンドで連結され、他端は昇圧された交流電源に連結されることを特徴とする、請求項８に記載の液晶表示装置。
【請求項１４】
　前記複数のインバータボードは前記ランプ部のグラウンド連結された端子側より 前記昇圧された交流電源が連結された端子側にさらに近く配置されることを特徴とする、請求項１３に記載の液晶表示装置。
【請求項１５】
　前記ランプ部の前記両端子側に正極性と負極性の交流電源が印加されることを特徴とする、請求項８に記載の液晶表示装置。
【請求項１６】
　前記複数のインバータボードは前記ランプ部の中央に配置されることを特徴とする、請求項１５に記載の液晶表示装置。
【請求項１７】
　前記複数のインバータボードの直列連結方向は前記ランプ部のランプ長さ方向に対して垂直に配置されることを特徴とする、請求項８に記載の液晶表示装置。
【請求項１８】
　前記複数のインバータボードの中で最外側に位置したいずれか一つのインバータボードは前記制御信号を受信する制御信号用コネクタと、隣接した他のインバータボードから伝達された前記電圧信号を現在のインバータボード内部に伝達するためのボード間コネクタを含み、
　前記複数のインバータボードの中で最外側に位置した他のインバータボードは前記電圧信号を受信する電圧信号用コネクタと、隣接した他のインバータボードから伝達された前記制御信号を現在のインバータボード内部に伝達するためのボード間コネクタを含み、
　前記複数のインバータボードの中で残りのインバータボードは前記制御信号と前記電圧信号を隣接したインバータボードから各々受信する二個のボード間のコネクタを含むことを特徴とする、請求項８に記載の液晶表示装置。
【請求項１９】
　各インバータボードに含まれたコネクタはボード内部の配線を通じて互いに連結されていることを特徴とする、請求項１８に記載の液晶表示装置。
【請求項２０】
　前記各インバータボードは前記制御信号と電圧信号を利用してランプ駆動信号を生成するための電子部品をさらに含み、前記電子部品はボード内の各コネクタで必要な信号線を抽出して連結されていることを特徴とする、請求項１８に記載の液晶表示装置。
【発明の詳細な説明】
【技術分野】
【０００１】
　本発明はインバータ駆動装置及びこれを含む液晶表示装置に関し、さらに詳しくは複数のインバータボードを有し、各インバータボードは個別または二個以上の並列連結されたランプを駆動し、前記各インバータボードは互いに直列連結されるように構成されたインバータ駆動装置及びこれを含む液晶表示装置に関する。
【背景技術】
【０００２】
　最近、パーソナルコンピュータやテレビなどの表示装置分野における大画面化、軽量化及び薄形化が要求されており、このような要求を充足させるために陰極線管（CRT）の代りに液晶表示装置（LCD）のようなフラットパネル表示装置（flat panel display）が開発されてコンピュータ用表示装置、液晶テレビなどの分野において実用化されている。
【０００３】
　液晶表示装置のパネルはマトリックス形態で画素パターンが形成された基板とそれに対向する基板で構成される。前記二個の基板の間には異方性誘電率を有する液晶物質が注入される。前記二個の基板の間には電界が印加され、この電界の強さを調節することによって基板を透過する光の量が制御され所望の画像に対する表示が行われる。
【０００４】
　このような液晶表示装置は自己発光型表示装置ではないので、液晶パネルの背面にランプを設置して光源として動作するように構成されている。このような液晶表示装置がテレビのような大型画面に適用される場合、高輝度と大画面の性能が液晶表示装置で要求される。したがって、大型画面液晶表示装置では一つのインバータボードが一つまたは少なくとも二個以上のランプを駆動し、このような構造を有するインバータボードが複数個設けられてランプとインバータボードが拡張できる。
【０００５】
　しかし、このような構造ではテレビのシステムボードで前記各インバータボードに電圧信号を伝達するための配線が連結されなければならず、前記システムボードと液晶パネルの間で表示動作を制御する制御ボードで前記各インバータボードに制御信号を伝達するための配線が連結されなければならない。したがって、各インバータボードに制御信号と電圧信号を供給するための配線構造が非常に複雑になり、場合によっては制御信号と電圧信号を各インバータボードに供給するための回路ボードが追加されることもある。これはシステムの値段を高騰させる原因となる。また、テレビの前記システムボードと前記各インバータボード間に連結される電圧信号を伝達するための配線が長くなって各ランプに到達する電源の電力効率が低下する。
【発明の開示】
【発明が解決しようとする課題】
【０００６】
　本発明は前記のような技術的背景による従来の問題点を解決するためのものであって、複数のインバータボード各々は少なくとも二個以上の並列連結されたランプを駆動し、前記各インバータボードが互いに直列連結されるように構成してコンパクト構造のインバータ駆動装置及びこれを利用した液晶表示装置を提供することを目的とする。
【課題を解決するための手段】
【０００７】
　前記課題を解決するための本発明のインバータ駆動装置は、外部から入力された直流電源を交流電源に変換及び昇圧した信号によって発光するランプを有する複数のランプ部と、前記各ランプ部と同一な数からなり、制御信号と電圧信号を受信して前記各ランプ部のうちの対応するランプ部を駆動するための信号を生成し、互いに直列連結された複数のインバータボードを含み、前記複数のインバータボードの中で最外側に位置したいずれか一つのインバータボードには制御信号が入力され、その反対側の他のインバータボードには電圧信号が入力され、前記各インバータボードには前記制御信号と電圧信号を隣接したインバータボードに伝達するように構成されている。
【０００８】
　また、前記ランプ部は並列連結された少なくとも二個以上のランプを有するランプで構成されることも可能である。
【０００９】
　前記本発明のインバータ駆動装置によると、前記制御信号と電圧信号を複数のインバータボードに各々入力せず、直列連結されたインバータボードの中で最外側に位置した二個のインバータボードに各々入力させれば良いので、よりコンパクトな構造を有するインバータ駆動装置を実現することができるだけでなく、配線の複雑性を回避することもできる。また、直列連結されたインバータボードを適用すればランプ駆動初期に発生する過度な突入電流を制御しやすく、中央に位置したインバータボードを容易に加減することができるのでインバータボードの拡張性も非常に高くなる。
【発明の効果】
【００１０】
　本発明のインバータ駆動装置では複数のインバータボードが備えられており、各インバータボードは個別または少なくとも二個以上の並列連結されたランプで構成されたランプ部を駆動し、前記複数のインバータボードのうちの一つのインバータボードは制御信号を受信しその反対側の他のインバータボードは電圧信号を受信するように構成されており、前記制御信号と電圧信号は隣接した他のインバータボードにも同時に伝達できるように構成されている。したがって、前記制御信号と電圧信号を複数のインバータボードに各々入力しなくても良いので、コンパクト構造を実現することができ配線の複雑性を回避することができる。また、全てのインバータを同一な構造で構成できて中央に位置したインバータボードを容易に加減することができるのでインバータボードの拡張性も非常に高くなる。
【発明を実施するための最良の形態】
【００１１】
　前記説明された本発明の課題、解決手段及びその効果は下記の実施例に関する説明からより明白になる。
【００１２】
　添付した図面を参照して本発明の実施例について本発明の属する技術分野における通常の知識を有する者が容易に実施できるように詳細に説明する。しかし、本発明は多様な相異なる形態に実現することができ、ここで説明する実施例に限定されない。
【００１３】
　本発明について説明する前に、本発明のインバータ装置が適用される液晶表示装置について説明する。図１は一般的な液晶表示装置を概略的に示した分解斜視図であって、特にエッジ発光方式を採用した液晶表示装置を示す。
【００１４】
　図１を参照すれば、本発明が適用される液晶表示装置９００は画像信号が印加されて画面を示すための液晶表示モジュール７００と液晶表示モジュール７００を収納するためのケース８００である前面ケース８１０及び背面ケース８２０で構成されている。液晶表示モジュール７００は画面を示す液晶表示パネルを含むディスプレイユニット７１０を含む。
【００１５】
　ディスプレイユニット７１０は液晶表示パネル７１２、データ側印刷回路基板７１４、ゲート側印刷回路基板７１９、データ側テープキャリアパッケージ（以下、TCP）７１６及びゲート側TCP７１８を含む。
【００１６】
　液晶表示パネル７１２は薄膜トランジスタ基板７１２aとカラーフィルター基板７１２b及び液晶（図示せず）を含んで画像をディスプレイする。
【００１７】
　より詳しくは、薄膜トランジスタ基板７１２aはマトリックス上の薄膜トランジスタが形成されている透明なガラス基板である。前記薄膜トランジスタのソース端子にはデータラインが連結され、ゲート端子にはゲートラインが連結される。また、ドレーン端子には透明な導電性材質であるインジウムティンオキシド（ITO）からなる画素電極が形成される。
【００１８】
　データライン及びゲートラインに電気的信号を入力すれば、それぞれの薄膜トランジスタのソース端子とゲート端子に電気的な信号が入力され、これら電気的な信号の入力によって薄膜トランジスタは導通または遮断されてドレーン端子には画素形成に必要な電気的な信号が出力される。
【００１９】
　薄膜トランジスタ基板７１２aに対向してカラーフィルター基板７１２bが備えられている。カラーフィルター基板７１２bは光が通過しながら所定の色が発現される色画素であるRGB画素が薄膜工程によって形成された基板である。カラーフィルター基板７１２bの前面にはITOからなる共通電極が塗布されている。
【００２０】
　上述した薄膜トランジスタ基板７１２aのトランジスタのゲート端子及びソース端子に電源が印加されて薄膜トランジスタが導通すると、画素電極とカラーフィルター基板の共通電極の間には電界が形成される。このような電界によって薄膜トランジスタ基板７１２aとカラーフィルター基板７１２bの間に注入された液晶の配列角が変化し、変化した配列角によって光透過度が変更されて所望の画像が得られる。
【００２１】
　液晶表示パネル７１２の液晶の配列角と液晶が配列される時期を制御するために薄膜トランジスタのゲートラインとラインに駆動信号及びタイミング信号を印加する。図示したように、液晶表示パネル７１２のソース側にはデータ駆動信号の印加時期を決定する軟性回路基板の一種であるデータ側TCP７１６が付着されており、ゲート側にはゲートの駆動信号の印加時期を決定するための軟性回路基板の一種であるゲート側TCP７１８が付着されている。
【００２２】
　液晶表示パネル７１２の外部から映像信号を受信してゲートラインとデータラインに各々駆動信号を印加するためのデータ側印刷回路基板７１４及びゲート側印刷回路基板７１９は液晶表示パネル７１２のデータライン側のデータ側TCP７１６及びゲートライン側のゲート側TCP７１８に各々接続される。
【００２３】
　データ側印刷回路基板７１４にはコンピュータなどのような外部の情報処理装置（図示せず）から発生した映像信号の印加を受けて液晶表示パネル７１２にデータ駆動信号を提供するためのソース部が形成され、ゲート側印刷回路基板７１９には液晶表示パネル７１２のゲートラインにゲート駆動信号を提供するためのゲート部が形成されている。
【００２４】
　つまり、データ側印刷回路基板７１４及びゲート側印刷回路基板７１９は液晶表示装置を駆動するための信号であるゲート駆動信号、データ信号及びこれら信号を適切な時期に印加するための複数のタイミング信号を発生させて、ゲート駆動信号はゲート側TCP７１８を通じて液晶表示パネル７１２のゲートラインに印加し、データ信号はデータ側TCP７１６を通じて液晶表示パネル７１２のデータラインに印加する。
【００２５】
　ディスプレイユニット７１０の下にはディスプレイユニット７１０に均一な光を提供するためのバックライトアセンブリー７２０が備えられている。バックライトアセンブリー７２０は液晶表示モジュール７００の両端に備えられて光を発生させるための第１及び第２ランプ部７２３、７２５を含む。第１及び第２ランプ部７２３、７２５は各々第１及び第２ランプ７２３a、７２３b、第３及び第４ランプ７２５a、７２５bで構成され、第１及び第２ランプカバー７２２a、７２２bによって各々保護される。
【００２６】
　導光板７２４はディスプレイユニット７１０の液晶パネル７１２に対応する大きさを有して液晶パネル７１２の下に位置し第１及び第２ランプ部７２３、７２５で発生した光をディスプレイユニット７１０側に案内しながら光の経路を変更する。
【００２７】
　前記導光板７２４は厚さが均一なエッジ型であり、第１及び第２ランプ部７２３、７２５は光効率を高めるために導光板７２４の両端に設置される。第１及び第２ランプ部７２３、７２５のランプの個数は液晶表示装置９００の全体的な均衡を考慮して適切に配列できる。
【００２８】
　導光板７２４の上には導光板７２４から放射して液晶表示パネル７１２に向かう光の輝度を均一にするための複数の光学シート７２６が設けられている。また、導光板７２４の下には導光板７２４から漏洩する光を導光板７２４で反射させて光の効率を高めるための反射板７２８が設けられている。
【００２９】
　ディスプレイユニット７１０とバックライトアセンブリー７２０は収納容器であるモールドフレーム７３０によって固定支持される。モールドフレーム７３０は直方体のボックス形状を有しており上面は開口している。
【００３０】
　また、ディスプレイユニット７１０のデータ側印刷回路基板７１４とゲート側印刷回路基板７１９をモールドフレーム７３０の外部に折曲げながらモールドフレーム７３０の底面部に固定してディスプレイユニット７１０が離脱することを防止するためのシャーシー７４０が提供される。シャーシー７４０は液晶表示パネル７１０を露出させるために開口しており、側壁部は内側垂直方向に折曲げられて液晶表示パネル７１０の上面周辺部をカバーする。
【００３１】
　次に、本発明の実施例によるインバータ駆動装置及びこれを利用した液晶表示装置について図面を参照して詳細に説明する。
【００３２】
　図２には本発明の実施例によるインバータ駆動装置を含む液晶表示装置が適用された全体システムが示されており、図３には前記図２に示されたインバータ駆動装置をより詳細に示されており、図４乃至図６は前記図３に示されたインバータ駆動装置のインバータボードの中で制御ボードと接続するインバータボード、中間に位置したインバータボード及びシステムボードと接続するインバータボードが各々示されている。
【００３３】
　まず、前記図２に示されたテレビシステムは電源供給部１１を有するシステムボード１０、制御ボード２０、液晶パネル３０、前記液晶パネル３０の一側面に配置されたソース駆動IC４１〜４４、前記液晶パネル３０の両側面に配置されたゲート駆動IC５１〜５６、第１乃至第４インバータボード６１〜６４、前記各インバータボード６１〜６４に対応するように連結された第１乃至第４ランプ部７１〜７４を含む。前記第１乃至第４ランプ部７１〜７４は互いに同一な構成を有し、各ランプ部７１〜７４の内部構成は前記第１ランプ部７１に対してだけ詳細に示されているが、他のランプ部７２〜７４も同一な構造を有する。前記第１ランプ部７１はホット（hot）端子７１aとコールド（cold）端子７１bを有し、前記ホット端子７１aとコールド端子７１bの間には４個のランプ７１c〜７１fが互いに並列連結されている。前記第１乃至第４インバータボード６１〜６４は互いに直列連結されており、その詳細な直列連結構造については次により詳細に説明する。ここで、前記第１乃至第４インターバーボード６１〜６４は前記第１乃至第４ランプ部７１〜７４のランプ長さ方向に対して垂直方向で相互に平行に位置する。また、前記ランプ部の電圧印加方式がグラウンド方式である場合には、前記第１乃至第４インバータボード６１〜６４が前記各ランプ部７１〜７４のコールド端子側よりはホット端子側に位置するようにするのが好ましい。一般に、前記インバータボードからランプ部の各端子に印加される電圧は非常に高く、特に、グラウンド方式の場合には、前記ホット端子に印加される電圧は非常に高くて前記コールド端子に印加される電圧はグラウンド電圧またはこれと類似な一定の電圧である。したがって、各インバータボードの電源端子から各ランプ部のホット端子に高い電圧が伝えられなければならないので、前記インバータボードと前記ランプ部のホット端子の間の距離は近いのが有利である。前記ランプ部の電圧印加方式がフローティング（floating）方式である場合には、前記ホット端子とコールド端子に大きさが同一で極性は反対である正極性及び負極性の電圧が印加されるので、前記インバータボードは前記ランプ部の中央に位置するのが好ましい。図１では前記各ランプ部と各インバータボードが平面的に位置するようにしているが、実際には前記液晶パネル３０の背面に立体的に位置する。したがって、前記各インバータボードを前記ランプ部の中央に位置させることも可能である。
【００３４】
　一方、本発明の実施例では液晶表示装置が高輝度と大画面の性能を必要とするテレビに適用されると仮定したが、本発明の技術的範囲はこれに限定されず、ランプ部が複数個備えられているインバータ駆動装置を必要とする全ての液晶表示装置に適用できる。また、本発明の実施例では４個のインバータボードが用いられており、各インバータボードで連結されたランプ部は並列連結された４個のランプを有すると仮定したが、本発明の技術的範囲はこれに限定されず、インバータボードの個数、各ランプ部に含まれるランプの個数及びランプの並列あるいは直列連結は簡単に変更できる。
【００３５】
　次に、前記図２に示された全システムの動作について簡単に説明する。
【００３６】
　全システムに電源が供給されれば、前記システムボード１０は画像データ、垂直及び水平同期信号、クロック信号などの表示関連信号を生成して前記制御ボード２０に出力する。また、前記システムボード１０に備えられた電源供給部１１は各インバータボード６１〜６４を通じて各ランプ部７１〜７４に印加するための電圧信号を生成して出力する。前記制御ボード２０は前記システムボード１０から表示関連信号を受信して、前記画像データを各ソース駆動IC４１〜４４に分配できるように前記画像データのタイミングを調整する。また、本発明の実施例ではゲート駆動IC５１〜５６が液晶パネル３０の左右側面に配列されたデュアルゲート方式が用いられており、前記制御ボード２０はゲート駆動に必要な制御信号を生成して前記各ゲート駆動IC５１〜５６に出力させる。前記液晶パネル３０は互いに交差するように配置された複数のゲートライン及びデータラインと、前記各ゲートラインとデータラインの交差点に形成された画素を含むマトリックス構造を有する。前記各ゲート駆動IC５１〜５６は前記制御ボード２０から供給された制御信号によって前記液晶パネル３０上のゲートラインを順次に導通させ、前記各ソース駆動ICは前記制御ボード２０から供給された画像データに合う階調電圧を各データライン別に選択し、前記ゲートラインが導通されるたびにそのゲートラインに連結された画素に前記選択された階調電圧を印加して各画素で所定の表示動作が行われるようにする。
【００３７】
　次に、前記第１乃至第４インバータボード６１〜６４の直列連結構造について説明する。
【００３８】
　前記各インバータボード６１〜６４はその機能的な観点から見る時、大きく３つに分類することができる。つまり、前記制御ボード２０と接続するように構成された第１インバータボード６１と、前記システムボード１０と接続するように構成された第４インバータボード６４と、前記第１インバータボード６１及び前記第４インバータボード６４の間に位置した第２及び第３インバータボード６２、６３が備えられている。本発明の実施例では前記制御ボード２０から前記第１インバータボード６１にランプ駆動を制御するための制御信号が供給され、前記システムボード１０の電源供給部１１から前記第４インバータボード６４にランプに電源を供給するための電圧信号が供給される。つまり、直列連結された４個のインバータボード６１〜６４の中で最外側の二個のインバータボード６１、６４に制御信号と電圧信号が各々別途に供給される。そして、前記第１インバータボード６１に供給された制御信号は前記第２乃至第４インバータボード６２〜６４にも伝達できるように各インバータボード６１〜６４が互いに連結されており、これと同様に、前記第４インバータボード６４に供給された電圧信号も他のインバータボード６１〜６３に伝達できるように構成されている。つまり、制御信号と電圧信号が各インバータボード６１〜６４に全て伝えられるようにするために、制御信号の供給を受ける第１インバータボード６１は制御信号用コネクタ６１１とボード間コネクタ６１２を備えており、電圧信号の供給を受ける第４インバータボード６４は電圧信号用コネクタ６４２とボード間コネクタ６４１を備えており、中間に位置したインバータボード６２、６３は二個のボード間コネクタ６２１、６２２、６３１、６３２を備えている。また、前記各インバータボードに設けられている２個のコネクタのピン構成は互いに対称的な構造からなるのが好ましい。もし、前記各インバータボードのコネクタのピン構成が対称的な構造でなければ、各前記インバータボードの内部を通じてコネクタを連結する時、配線構造がねじれて回路設計が難しくなる。
【００３９】
　図３にはこのような各インバータボード６１〜６４の関係が拡大して示されている。
【００４０】
　前記図３を参照すれば、前記各インバータボードの二個のコネクタはボード内部の配線を通じて互いに連結されており、ボード間コネクタは隣接するインバータボードのボード間コネクタと互いに連結されており、前記各インバータボードの二個のコネクタのピン構成は対称的な構造からなっている。例えば、第１インバータボード６１で制御信号用コネクタ６１１とボード間コネクタ６１２はボード内部の配線を通じて互いに連結されており、第１インバータボード６１のボード間コネクタ６１２は第２インバータボード６２のボード間コネクタ６２１と外部的に互いに連結されている。これと同様に、前記第２インバータボード６２のボード間コネクタ６２１、６２２はボード内部の配線を通じて互いに連結されており、前記第２インバータボード６２のボード間コネクタ６２２は前記第３インバータボード６３のボード間コネクタ６３１と外部的に互いに連結されている。前記第４インバータボード６４では電圧信号用コネクタ６４２がボード間コネクタ６４１とボード内部の配線を通じて互いに連結されており、前記第４インバータボード６４のボード間コネクタ６４１は前記第３インバータボード６３のボード間コネクタ６３２と外部的に互いに連結されている。したがって、前記第１インバータボード６１の制御信号用コネクタ６１１を通じて供給された制御信号は前記のような連結構成によって他のインバータボード６２〜６４にも供給でき、前記第４インバータボード６４の電圧信号用コネクタ６４２を通じて供給された電圧信号も他のインバータボード６１〜６３に供給できる。
【００４１】
　そして、各インバータボードではそのボードに位置した二個のコネクタから必要な信号線が抽出されそのボード内に装着された部品に連結される。例えば、前記第１インバータボード６１で各電子部品６１５〜６１８はそのボードで連結された二個のコネクタ６１１、６１２の間の内部配線から必要な制御信号と電圧信号の信号線を抽出して利用するように構成されている。前記各インバータボードの電子部品は制御信号と電圧信号（システムボードから供給される電源は直流である）の供給を受けて対応するランプ部を駆動するための電圧信号（ランプに実際に印加される電源は交流である）を生成して電源端子を通じてランプ部に出力する。より具体的に、前記システムボードから供給される直流電源を交流電源に変換すると同時に昇圧し、この変換及び昇圧された交流電源を前記ランプ部に出力する。図３の第１インバータボード６１では各電子部品６１５〜６１８がランプ駆動のための電圧信号を生成し、電源端子６１３、６１４を通じて対応する図２のランプ部７１に出力する。前記電源端子６１３はランプ部７１のホット端子７１aと連結され、前記電源端子６１４はランプ部７１のコールド端子７１bと連結されている。
【００４２】
　図４には第１インバータボード６１とこのボードで用いられるコネクタ６１１、６１２の対称的なピン構成について示されており、図５には中間に位置した第２インバータボード６２とこのボードで用いられるコネクタ６２１、６２２のピン構成について示されており、図６には第４インバータボード６４とこのボードで用いられるコネクタ６４１、６４２のピン構成について示されている。
【００４３】
　図４を参照すれば、前記第１インバータボード６１の制御信号用コネクタ６１１とボード間コネクタ６１２は同じピン番号同士にボード内部の配線を通じて互いに連結されている。制御信号は図２の制御ボード２０から供給され、図４のように、コネクタ６１９を通じて供給されることもできる。前記コネクタ６１９の代りに他の信号伝達手段を用いることもできる。図４の図表でピン番号５から１４までの信号線が制御信号伝達のための領域である。ピン番号１から４までの信号線は電圧信号伝達のために用いられる。前記ボード間コネクタ６１２は１番から４番までの信号線を通じて電圧信号を第２インバータボード６２から供給を受ける一方、５番から１４番までの信号線を通じて制御信号を第２インバータボード６２に伝達する。前記第１インバータボード６１に実装された電子部品６１５〜６１８には前記制御信号用コネクタ６１１とボード間コネクタ６１２から必要な信号線が抽出されて連結される。
【００４４】
　図５を参照すれば、前記第２インバータボード６２のボード間コネクタ６２１とボード間コネクタ６２２は同一なピン番号同士にボード内部の配線を通じて互いに連結されている。これと同時に、前記ボード間コネクタ６２１は１番から４番までの信号線を通じて電圧信号を図４の第１インバータボード６１に伝達する一方、５番から１４番までの信号線を通じて前記第１インバータボード６１から伝えられた制御信号を前記ボード間コネクタ６２２に伝達する。また、前記ボード間コネクタ６２２は１番から４番までの信号線を通じて電圧信号を前記ボード間コネクタ６２１に伝達する一方、５番から１４番までの信号線を通じて前記ボード間コネクタ６２１から伝達された制御信号を第３インバータボード６３に伝達する。前記第２インバータボード６２に実装された電子部品６２５〜６２８には前記各コネクタ６２１、６２２から必要な信号線が抽出されて連結される。第３インバータボード６３も前記図５に示された第２インバータボード６２と同一であるので、重複を避けるためにそのピン連結関係は図面で示さない。
【００４５】
　図６を参照すれば、前記第４インバータボード６４の電圧信号用コネクタ６４２とボード間コネクタ６４１は同じピン番号同士がボード内部の配線を通じて互いに連結されている。電圧信号はシステムボード１０の電源供給部１１から供給され、図６のように、コネクタ６４９を通じて供給されることもできる。前記コネクタ６４９の代りに他の信号伝達手段を用いることもできる。前記図６の図表でピン番号１から４までの信号線が電圧信号伝達のための領域である。ピン番号５から１４までの信号線は制御信号伝達のために用いられる。前記ボード間コネクタ６４１は５番から１４番までの信号線を通じて制御信号を図３の第３インバータボード６３から供給を受ける一方、１番から４番までの信号線を通じて前記電圧信号用コネクタ６４２から伝えられた電圧信号を第３インバータボード６３に伝達する。前記第４インバータボード６４に実装された電子部品６４５〜６４８には前記電圧信号用コネクタ６４２とボード間コネクタ６４１から必要な信号線が抽出されて連結される。
【００４６】
　以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００４７】
【図１】本発明が適用される液晶表示装置を立体的に分解して示した図面である。
【図２】本発明の実施例によるインバータ駆動装置を利用した液晶表示装置が適用された全体システムを示した図面である。
【図３】前記図２に示されたインバータ駆動装置をより詳細に示した図面である。
【図４】前記図３に示されたインバータ駆動装置のインバータボードの中で制御ボードと接続するインバータボードを示す図面である。
【図５】前記図３に示されたインバータ駆動装置のインバータボードの中で中間に位置したインバータボードを示す図面である。
【図６】前記図３に示されたインバータ駆動装置のインバータボードの中でシステムボードと接続するインバータボードを示す図面である。
【符号の説明】
【００４８】
１０:システムボード
２０:制御ボード
３０:液晶パネル
４１〜４４:ソース駆動IC
５１〜５６:ゲート駆動IC
６１〜６４:第１〜第４インバータボード
【図１】
2004104990.tif 000003
【図２】
2004104990.tif 000004
【図３】
2004104990.tif 000005
【図４】
2004104990.tif 000006
【図５】
2004104990.tif 000007
【図６】
2004104990.tif 000008